(57)【要約】【課題】ユーザに対し、平常時においても端末内に災害対策用アプリケーションをインストールしておく動機を持たせる。また、災害対策用アプリケーションの使用が必要になった状況下でも、ユーザの操作を必要とせずに災害対策用アプリケーションを起動させると共に、ユーザが簡単に災害対策用アプリケーションを起動させられるシステムを提供する。【解決手段】災害対策用端末１は、同一のアイコンを指定することによって行われるユーザからのアプリケーションの起動要求に対し、互いに関連付けられたメインアプリケーション１ｂと災害対策用アプリケーション１ａが所定の設定に従って択一的に起動する。また、災害発生時に、管理サーバ２から災害対策用アプリケーション１ａの起動命令を受信すると、起動命令に応じて、災害対策用アプリケーション１ａを起動させ、起動要求に応じて起動するアプリケーションを災害対策用アプリケーション１ａに設定する。【選択図】図１
2015099530.tif 000002
【特許請求の範囲】
【請求項１】
災害発生時に、災害対策用アプリケーションがインストールされている端末に対し、当該災害対策用アプリケーションの起動命令を送信する起動命令送信装置と、ネットワークを介して通信可能に構成され、
所定のコンテンツを有するメインアプリケーションと、
予め上記メインアプリケーションと関連付けられた上記災害対策用アプリケーションと、がインストールされ、
同一のアイコンを指定することによって行われるユーザからのアプリケーションの起動要求に対し、上記メインアプリケーションと上記災害対策用アプリケーションが、所定の設定に従って択一的に起動する端末であって、
災害発生時に、上記起動命令送信装置から上記災害対策用アプリケーションの起動命令を受信する起動命令受信手段と、
上記起動命令に応じて、上記メインアプリケーションが起動している場合に上記メインアプリケーションを休止状態に移行させると共に、上記災害対策用アプリケーションを起動させる起動処理手段と、
上記起動命令に応じて、上記起動要求に応じて起動するアプリケーションを上記災害対策用アプリケーションに設定する第一の設定処理手段と、を有する、
ことを特徴とする災害対策用端末。
【請求項２】
上記ユーザからの設定変更要求に応じて、上記起動要求に応じて起動するアプリケーションを上記メインアプリケーションに設定する第二の設定処理手段、をさらに有する、
請求項１記載の災害対策用端末。
【請求項３】
上記起動処理手段は、上記起動命令に応じて、上記ユーザに対して上記災害対策用アプリケーションの起動を案内する情報を端末上に出力した上、上記ユーザによる上記災害対策用アプリケーションの起動を許可すると共に、上記起動要求に応じて起動するアプリケーションを上記災害対策用アプリケーションに設定することを許可する入力を要求し、当該許可の入力がなされた場合に、上記メインアプリケーションが起動している場合に上記メインアプリケーションを休止状態に移行させると共に、上記災害対策用アプリケーションを起動させ、
上記第一の設定更新手段は、上記起動要求に応じて起動するアプリケーションを上記災害対策用アプリケーションに設定することを許可する入力がなされた場合に、上記起動命令に応じて、上記起動要求に応じて起動するアプリケーションを上記災害対策用アプリケーションに設定する、
請求項１又は２記載の災害対策用端末。
【請求項４】
上記起動命令に応じて上記災害対策用アプリケーションが起動した際、上記ユーザの現在状況に関する現在状況情報を生成する生成処理手段と、
上記起動命令送信装置に対し、上記生成した現在状況情報を送信する現在状況送信手段と、をさらに有する、
請求項１乃至３いずれかの項に記載の災害対策用端末。
【請求項５】
上記起動命令送信装置は、災害情報を提供する災害情報提供装置から災害情報を受信すると共に、当該受信した災害情報に基づいて、上記災害対策用アプリケーションがインストールされている端末に対し、上記災害対策用アプリケーションの起動命令を送信する管理サーバである、
請求項１乃至４いずれかの項に記載の災害対策用端末。
【請求項６】
災害発生時に、災害対策用アプリケーションがインストールされている端末に対し、当該災害対策用アプリケーションの起動命令を送信する起動命令送信装置と、
所定のコンテンツを有するメインアプリケーションと、予め当該メインアプリケーションと関連付けられた上記災害対策用アプリケーションと、がインストールされ、同一のアイコンを指定することによって行われるユーザからのアプリケーションの起動要求に対し、上記メインアプリケーションと上記災害対策用アプリケーションが、所定の設定に従って択一的に起動する災害対策用端末と、がネットワークを介して通信可能に構成されたシステムであって、
上記起動命令送信装置は、
災害発生時に、上記災害対策用端末に対し、上記災害対策用アプリケーションの起動命令を送信する起動命令送信手段、を有し、
上記災害対策用端末は、
災害発生時に、上記起動命令送信装置から上記災害対策用アプリケーションの起動命令を受信する起動命令受信手段と、
上記起動命令に応じて、上記メインアプリケーションが起動している場合に上記メインアプリケーションを休止状態に移行させると共に、上記災害対策用アプリケーションを起動させる起動処理手段と、
上記起動命令に応じて、上記起動要求に応じて起動するアプリケーションを上記災害対策用アプリケーションに設定する第一の設定処理手段と、を有する、
ことを特徴とする災害対策システム。
【請求項７】
上記起動命令送信装置は、
上記災害対策用端末の位置情報を含む端末情報を記憶した端末情報記憶手段と、
災害発生時に、上記端末情報記憶手段を参照して、災害発生地点から所定の範囲に位置する災害対策用端末を特定する特定処理手段と、をさらに有し、
上記起動命令送信手段は、災害発生時に、上記特定した災害対策用端末に対し、上記災害対策用アプリケーションの起動命令を送信する、
請求項５記載の災害対策システム。
【請求項８】
災害発生時に、災害対策用アプリケーションがインストールされている端末に対し、当該災害対策用アプリケーションの起動命令を送信する起動命令送信装置と、ネットワークを介して通信可能に構成され、
所定のコンテンツを有するメインアプリケーションと、
予め上記メインアプリケーションと関連付けられた上記災害対策用アプリケーションと、がインストールされ、
同一のアイコンを指定することによって行われるユーザからのアプリケーションの起動要求に対し、上記メインアプリケーションと上記災害対策用アプリケーションが、所定の設定に従って択一的に起動する端末によって実行される方法であって、
災害発生時に、上記起動命令送信装置から上記災害対策用アプリケーションの起動命令を受信する処理と、
上記起動命令に応じて、上記メインアプリケーションが起動している場合に上記メインアプリケーションを休止状態に移行させると共に、上記災害対策用アプリケーションを起動させる処理と、
上記起動命令に応じて、上記起動要求に応じて起動するアプリケーションを上記災害対策用アプリケーションに設定する処理と、を実行する、
ことを特徴とする災害対策方法。
【請求項９】
災害発生時に、災害対策用アプリケーションがインストールされている端末に対し、当該災害対策用アプリケーションの起動命令を送信する起動命令送信装置と、ネットワークを介して通信可能に構成され、
所定のコンテンツを有するメインアプリケーションと、
予め上記メインアプリケーションと関連付けられた上記災害対策用アプリケーションと、がインストールされ、
同一のアイコンを指定することによって行われるユーザからのアプリケーションの起動要求に対し、上記メインアプリケーションと上記災害対策用アプリケーションが、所定の設定に従って択一的に起動する端末において実行されるプログラムであって、
災害発生時に、上記起動命令送信装置から上記災害対策用アプリケーションの起動命令を受信する処理と、
上記起動命令に応じて、上記メインアプリケーションが起動している場合に上記メインアプリケーションを休止状態に移行させると共に、上記災害対策用アプリケーションを起動させる処理と、
上記起動命令に応じて、上記起動要求に応じて起動するアプリケーションを上記災害対策用アプリケーションに設定する処理と、を実行させる、
コンピュータプログラム。
【発明の詳細な説明】
【技術分野】
【０００１】
本発明は、災害発生時に、平常時は休止状態にある災害対策用アプリケーションを起動させる技術に関する。
【背景技術】
【０００２】
地震や津波などの災害発生時には、避難場所や避難経路といった災害から身を守るための情報や、家族の安否を把握するための情報交換ツールなどが必要とされる。
【０００３】
この点、特許文献１では、災害時などの緊急時に、緊急情報通知装置が事業者の提供する緊急情報通知サービスに予め加入しているユーザを検索し、検索したユーザが使用している情報端末に対して、前記緊急情報通知装置から通信ネットワークを介して緊急情報を通知する緊急情報通知システムであって、前記緊急情報通知装置は、前記緊急時に緊急情報通知用プログラムを前記情報端末へ配信する配信手段と、前記情報端末から位置情報の返信を受信する第１の受信手段と、該第１の受信手段により受信した該位置情報に基づいて前記緊急時の避難場所及び避難経路を含む地図情報を作成して前記情報端末へ送信する第１の送信手段とを有し、前記情報端末は、前記緊急情報通知装置から配信された前記緊急情報通知用プログラムをダウンロードして自動起動するプログラム受信手段と、ダウンロードされた前記緊急情報通知用プログラムに従い、自装置が存在する位置情報を取得して前記緊急情報通知装置へ送信する第２の送信手段と、前記緊急情報通知装置から送信された前記地図情報を受信する第２の受信手段と、前記第２の受信手段により受信された前記地図情報を、前記緊急情報通知用プログラムに従い画面に表示する表示手段とを有することを特徴とする緊急情報通知システムが提案されている。
【０００４】
また、特許文献２では、災害被災状況情報の送受信を行う災害用アプリケーションを搭載している端末の識別子を予め保持している事前登録情報データベースと、該端末の位置情報に基づき、災害発生エリア内の端末を決定する災害システム主制御部と、該災害用アプリケーションを搭載していない該災害発生エリア内の端末に、該災害用アプリケーションのダウンロードを依頼するダウンロード依頼要求を出力し、以て該端末に対する該ダウンロードを可能にする緊急通知処理部とを備えたことを特徴とする災害システムセンタが提案されている。
【０００５】
さらに、特許文献３では、移動通信網又は固定通信網を経由して災害被災状況情報を伝送する災害システム制御方法を及び装置に関し、災害発生時における災害被災状況情報を、災害監視者と災害発生エリア内の被災者との間で迅速に送受信するため、帯域制御装置が他の呼帯域よりパケット呼帯域を優先的に割り付け、携帯端末が災害システムセンタと自分自身との間で災害被災状況情報を送受信するための災害用アプリケーションを搭載し、災害システムセンタが、災害発生エリア内の形態端末に災害用アプリケーション起動用メールを与えて災害用アプリケーションを起動する方法が提案されている。
【先行技術文献】
【特許文献】
【０００６】
【特許文献１】特許第３９６９１１３号公報
【特許文献２】特許第４３２２２５１号公報
【特許文献３】国際公開ＷＯ２００５／００４０７６
【発明の概要】
【発明が解決しようとする課題】
【０００７】
上記特許文献により、災害情報を通知する技術が提案されているが、必ずしも普段通りの通信量による通信が期待できない災害発生時においては、特許文献１、２記載の技術のとおりに、災害用のプログラムを端末にダウンロードさせることができるとは限らない。
一方、特許文献３記載の技術のように、予め災害用のアプリケーションを端末に搭載させておく場合でも、ユーザからすれば、平常時には災害に備えてアプリケーションを搭載したままにしておく動機が弱い。そのため、このような普段使用されないアプリケーションは、何らかの機会にアンインストールされてしまう可能性が高い。また、端末内にアプリケーションをインストールしておくだけでも、アプリケーションを使用しない平常時までもこのアプリケーションが端末の資源を利用して、端末の動作に影響を及ぼしてしまう可能性がある。さらに、災害用のアプリケーションは平常時に使用しないし、災害時には端末のユーザも平常時とは異なる心理状態にあったり、適切な判断をすることができなかったりする。そのため、指災害用のアプリケーションをどのように起動させるかも忘れてしまっていたり、理解しにくかったりすることが十分に考えられる。
【０００８】
そこで本発明は、ユーザに対し、平常時においても端末内に災害対策用アプリケーションをインストールしておく動機を持たせられるシステムを提供する。また、災害が発生し、災害対策用アプリケーションの使用が必要になった状況下でも、ユーザの操作を必要とせずに災害対策用アプリケーションを起動させると共に、ユーザが簡単に災害対策用アプリケーションを起動させることのできるシステムを提供することを目的とする。
【課題を解決するための手段】
【０００９】
上記目的を達成するため、本発明の一の観点に係る災害対策用端末は、災害発生時に、災害対策用アプリケーションがインストールされている端末に対し、当該災害対策用アプリケーションの起動命令を送信する起動命令送信装置と、ネットワークを介して通信可能に構成され、所定のコンテンツを有するメインアプリケーションと、予め上記メインアプリケーションと関連付けられた上記災害対策用アプリケーションと、がインストールされ、同一のアイコンを指定することによって行われるユーザからのアプリケーションの起動要求に対し、上記メインアプリケーションと上記災害対策用アプリケーションが、所定の設定に従って択一的に起動する端末であって、災害発生時に、上記起動命令送信装置から上記災害対策用アプリケーションの起動命令を受信する起動命令受信手段と、上記起動命令に応じて、上記メインアプリケーションが起動している場合に上記メインアプリケーションを休止状態に移行させると共に、上記災害対策用アプリケーションを起動させる起動処理手段と、上記起動命令に応じて、上記起動要求に応じて起動するアプリケーションを上記災害対策用アプリケーションに設定する第一の設定処理手段と、を有することを特徴とする。
ここで、起動命令送信装置には、災害対策用端末に関する管理情報を一元的に管理する管理サーバや、所定の災害対策用端末に対して起動命令を送信する権限をもった端末などが含まれる。
【００１０】
また、上記ユーザからの設定変更要求に応じて、上記起動要求に応じて起動するアプリケーションを上記メインアプリケーションに設定する第二の設定処理手段、をさらに有するものとしてもよい。
【００１１】
また、上記起動処理手段は、上記起動命令に応じて、上記ユーザに対して上記災害対策用アプリケーションの起動を案内する情報を端末上に出力した上、上記ユーザによって、上記災害対策用アプリケーションの起動の許可が入力された場合に、上記メインアプリケーションが起動している場合に上記メインアプリケーションを休止状態に移行させると共に、上記災害対策用アプリケーションを起動させ、上記第一の設定処理手段は、上記ユーザによって、上記起動要求に応じて起動するアプリケーションを上記災害対策用アプリケーションに設定する許可が入力された場合に、上記起動命令に応じて、上記起動要求に応じて起動するアプリケーションを上記災害対策用アプリケーションに設定するものとしてもよい。
【００１２】
また、上記起動命令に応じて上記災害対策用アプリケーションが起動した際、上記ユーザの現在状況に関する現在状況情報を生成する生成処理手段と、上記起動命令送信装置に対し、上記生成した現在状況情報を送信する現在状況送信手段と、をさらに有するものとしてもよい。
【００１３】
また、上記起動命令送信装置は、災害情報を提供する災害情報提供装置から災害情報を受信すると共に、当該受信した災害情報に基づいて、上記災害対策用アプリケーションがインストールされている端末に対し、上記災害対策用アプリケーションの起動命令を送信する管理サーバであるものとしてもよい。
【００１４】
また、本発明の別の観点に係る災害対策システムは、災害発生時に、災害対策用アプリケーションがインストールされている端末に対し、当該災害対策用アプリケーションの起動命令を送信する起動命令送信装置と、所定のコンテンツを有するメインアプリケーションと、予め当該メインアプリケーションと関連付けられた上記災害対策用アプリケーションと、がインストールされ、同一のアイコンを指定することによって行われるユーザからのアプリケーションの起動要求に対し、上記メインアプリケーションと上記災害対策用アプリケーションが、所定の設定に従って択一的に起動する災害対策用端末と、がネットワークを介して通信可能に構成されたシステムであって、上記起動命令送信装置は、災害発生時に、上記災害対策用端末に対し、上記災害対策用アプリケーションの起動命令を送信する起動命令送信手段、を有し、上記災害対策用端末は、災害発生時に、上記起動命令送信装置から上記災害対策用アプリケーションの起動命令を受信する起動命令受信手段と、上記起動命令に応じて、上記メインアプリケーションが起動している場合に上記メインアプリケーションを休止状態に移行させると共に、上記災害対策用アプリケーションを起動させる起動処理手段と、上記起動命令に応じて、上記起動要求に応じて起動するアプリケーションを上記災害対策用アプリケーションに設定する第一の設定処理手段と、を有することを特徴とする。
【００１５】
また、上記起動命令送信装置は、上記災害対策用端末の位置情報を含む端末情報を記憶した端末情報記憶手段と、災害発生時に、上記端末情報記憶手段を参照して、災害発生地点から所定の範囲に位置する災害対策用端末を特定する特定処理手段と、をさらに有し、上記起動命令送信手段は、災害発生時に、上記特定した災害対策用端末に対し、上記災害対策用アプリケーションの起動命令を送信するものとしてもよい。
【００１６】
また、本発明の別の観点に係る災害対策方法は、災害発生時に、災害対策用アプリケーションがインストールされている端末に対し、当該災害対策用アプリケーションの起動命令を送信する起動命令送信装置と、ネットワークを介して通信可能に構成され、所定のコンテンツを有するメインアプリケーションと、予め上記メインアプリケーションと関連付けられた上記災害対策用アプリケーションと、がインストールされ、同一のアイコンを指定することによって行われるユーザからのアプリケーションの起動要求に対し、上記メインアプリケーションと上記災害対策用アプリケーションが、所定の設定に従って択一的に起動する端末によって実行される方法であって、災害発生時に、上記起動命令送信装置から上記災害対策用アプリケーションの起動命令を受信する処理と、上記起動命令に応じて、上記メインアプリケーションが起動している場合に上記メインアプリケーションを休止状態に移行させると共に、上記災害対策用アプリケーションを起動させる処理と、上記起動命令に応じて、上記起動要求に応じて起動するアプリケーションを上記災害対策用アプリケーションに設定する処理と、を実行することを特徴とする。
【００１７】
また、本発明の別の観点に係るコンピュータプログラムは、災害発生時に、災害対策用アプリケーションがインストールされている端末に対し、当該災害対策用アプリケーションの起動命令を送信する起動命令送信装置と、ネットワークを介して通信可能に構成され、所定のコンテンツを有するメインアプリケーションと、予め上記メインアプリケーションと関連付けられた上記災害対策用アプリケーションと、がインストールされ、同一のアイコンを指定することによって行われるユーザからのアプリケーションの起動要求に対し、上記メインアプリケーションと上記災害対策用アプリケーションが、所定の設定に従って択一的に起動する端末において実行されるプログラムであって、災害発生時に、上記起動命令送信装置から上記災害対策用アプリケーションの起動命令を受信する処理と、上記起動命令に応じて、上記メインアプリケーションが起動している場合に上記メインアプリケーションを休止状態に移行させると共に、上記災害対策用アプリケーションを起動させる処理と、上記起動命令に応じて、上記起動要求に応じて起動するアプリケーションを上記災害対策用アプリケーションに設定する処理と、を実行させる。
【発明の効果】
【００１８】
本発明によれば、ユーザに対し、平常時においても端末内に災害対策用アプリケーションをインストールしておく動機を持たせられる。また、災害が発生し、災害対策用アプリケーションの使用が必要になった状況下でも、ユーザの操作を必要とせずに災害対策用アプリケーションを起動させると共に、ユーザが簡単に災害対策用アプリケーションを起動させることができる。
【図面の簡単な説明】
【００１９】
【図１】本発明の実施形態に係る災害対策用端末が備える機能を示した機能ブロック図である。
【図２】本実施形態に係る災害対策用端末において、設定情報記憶部に記憶されるデータの一例を示した図である。
【図３】管理サーバにおいて、端末情報記憶部に記憶されるデータの一例を示した図である。
【図４】本実施形態に係る災害対策用端末による処理の流れを示した処理フロー図である。
【図５】本実施形態に係る災害対策用端末による処理の流れを示した処理フロー図である。
【図６】本実施形態に係る災害対策用端末による処理の流れを示した処理フロー図である。
【図７】本発明の別の実施形態に係る災害対策用端末と、他の災害対策用端末の関係を示した概念図である。
【発明を実施するための形態】
【００２０】
以下、本発明の実施形態に係る災害対策用端末について、図を参照して説明する。
図１に示されるように、本実施形態に係る災害対策用端末１、管理サーバ２、及び災害情報提供装置３は、インターネット等のネットワークＮＷを介して通信可能に構成されている。
【００２１】
災害対策用端末１は、災害発生時に、端末のユーザに有用な情報を提供したり、災害時に必要なコミュニケーションツールをユーザに提供したりする端末であって、データ通信可能な携帯電話機やタブレット端末等によって構成される。
この災害対策用端末１はCPU（Central Processing Unit）、CPUが実行するコンピュータプログラム、コンピュータプログラムや所定のデータを記憶するRAM（Random Access Memory）やROM（Read Only Memory）などの記憶装置を備え、災害対策用アプリケーション１ａとメインアプリケーション１ｂがインストールされると共に、設定情報記憶部１１、起動処理部１２、設定処理部１３、生成処理部１４、入出力処理部１５、及び通信処理部１６からなる機能ブロックを有している。
【００２２】
災害対策用アプリケーション１ａは、ユーザに対し、災害時に有用な情報や災害時におけるコミュニケーションツール、さらにはユーザの安否に関する情報をやり取りするためのアプリケーションである。
また、メインアプリケーション１ｂは、災害対策用アプリケーション１ａとはコンテンツにおいて特に関連性のない、全く異なるアプリケーションである。したがって、例えばゲームや日常的に使うツールなど、特にコンテンツは限られず、各種のアプリケーションにより構成される。
【００２３】
ここで、災害対策用アプリケーション１ａとメインアプリケーション１ｂは、予め関連付けて多重化されており、共に災害対策用端末１にインストールされている。多重化には例えば、アプリケーション間の機能を繋ぎ合わせるインテントの技術や、オブジェクト指向プログラミングの構成要件であるカプセル化を用いることができる。
これにより、メインアプリケーション１ｂの開発者は、多重化のために災害対策用アプリケーション１ａの内容を把握する必要がなく、開発者に対して過大な負担をかけずに済む。
【００２４】
災害対策用アプリケーション１ａとメインアプリケーション１ｂは所定の設定に従い、災害対策用アプリケーション１ａとメインアプリケーション１ｂの起動のために設けられた同一のアイコンを押下することによって択一的に起動する（以下、災害対策用アプリケーション１ａとメインアプリケーション１ｂの起動のために設けられた同一のアイコンを「起動アイコン」ということがある）。
この起動アイコンによるアプリケーションの起動要求に対し、インストール後の初期状態及び通常時はメインアプリケーション１ｂが起動するように設定されているが、管理サーバ２から災害対策用アプリケーション１ａの起動命令を受信し、災害対策用アプリケーション１ａが起動した後は、災害対策用アプリケーション１ａが起動するように設定される。
【００２５】
設定情報記憶部１１は、災害対策用アプリケーション１ａ又はメインアプリケーション１ｂを択一的に起動させるための起動アイコンによってアプリケーションの起動要求がなされた際、災害対策用アプリケーション１ａ又はメインアプリケーション１ｂのうち、起動させるべきアプリケーションに関する設定情報を記憶する記憶部である。
【００２６】
この設定情報記憶部１１には例えば、図２に示されるように、災害対策用アプリケーション１ａとメインアプリケーション１ｂについて、起動させるべきアプリケーションであることを示すフラグを関連付けて記憶させることができる。
この設定情報記憶部１１に記憶される設定情報は、設定処理部１３によって更新される。また、ユーザによって起動アイコンが押下された際には起動処理部１２によって参照され、設定情報に基づいて起動されるべきアプリケーションが起動する。
【００２７】
起動処理部１２は、管理サーバ２から送信された起動命令に応じて災害対策用端末１を起動させる。
この際、災害対策用端末１上でメインアプリケーション１ｂが起動していた場合には併せて、メインアプリケーション１ｂを休止状態に移行させる処理を実行する。
なお、この起動処理部１２は、起動命令に応じて災害対策用端末１を起動させる前に、ユーザに対して災害対策用アプリケーション１ａの起動を案内する情報を入出力処理部１４に出力させる。その上で、ユーザによって、災害対策用アプリケーション１ａの起動の許可が入力された場合に、災害対策用アプリケーション１ａを起動させる。
【００２８】
設定処理部１３は、管理サーバ２から送信された起動命令に応じて、設定情報記憶部１１を参照し、起動アイコンを押下することによるアプリケーションの起動要求に対し、起動すべきアプリケーションを災害対策用アプリケーション１ａに設定する処理を実行する。
なお、この設定処理部１３による設定の際には、ユーザによる起動要求に応じて起動するアプリケーションを災害対策用アプリケーション１ａに設定する許可の入力が要求され、許可が入力されたときに、起動すべきアプリケーションを災害対策用アプリケーション１ａに設定する。
また、この設定処理部１３はユーザからの設定変更要求に応じて、設定情報記憶部１１を参照し、起動アイコンに基づくユーザからの起動要求に応じて起動させるアプリケーションを、災害対策用アプリケーション１ａからメインアプリケーション１ｂに、又はその逆に変更する処理を実行することができる。
【００２９】
生成処理部１４は、管理サーバ２からの起動命令に応じて災害対策用アプリケーション１ａが起動した際、ユーザの現在状況に関する現在状況情報を生成する処理を実行する。
現在状況情報は例えば、ユーザの現在位置に関する情報のほか、ユーザの周辺の画像や音声等で構成され、災害対策用端末１が予め備えるGPS（Global Positioning System）、カメラ機能、又は集音マイク等によって、これらの情報が生成される。
この生成処理部１４は、管理サーバ２からの起動命令に応じて災害対策用アプリケーション１ａが起動した際に自動的に現在状況情報を生成した上、通信処理部１６に対し、当該現在状況情報を管理サーバ２に送信させる。
【００３０】
入出力処理部１５は、データを入出力するための機能部であって、ディスプレイやタッチパネル、スピーカ等によって構成される。
【００３１】
通信処理部１６は、管理サーバ２とデータの送受信を可能とする処理部であって、ウェブブラウザ等によって実現される。
災害対策用端末１はこの通信処理部１６により、管理サーバ２との間で、災害対策用アプリケーション１ａの起動命令を受信したり、生成処理部１４によって生成された現在状況情報を送信したりする。
【００３２】
管理サーバ２は、災害対策用端末１に関する情報を管理すると共に、災害情報提供装置３から災害発生に関する情報を取得して、災害発生時に、災害対策用端末１に対して災害対策用アプリケーション１ａの起動命令を送信する装置である。
この管理サーバ２は、CPU（Central Processing Unit）、CPUが実行するコンピュータプログラム、コンピュータプログラムや所定のデータを記憶するRAM（Random Access Memory）やROM（Read Only Memory）、ハードディスクドライブなどの外部記憶装置により、端末情報記憶部２１、特定処理部２２、及び通信処理部２３からなる機能部を構成する。
【００３３】
端末情報記憶部２１は、災害対策用端末１に関する端末情報を記憶した記憶部であり、災害対策用端末１に災害対策用アプリケーション１ａがインストールされた際に、当該端末情報が災害対策用端末１から提供されて登録される。
この端末情報記憶部２１には例えば、図３に示されるように、災害対策用端末１を識別する端末ＩＤごとに、電話番号や位置情報のほか、その他の関連情報が記憶されている。
【００３４】
ここで、災害発生時には、管理サーバ２から災害対策用端末１に対してプッシュ通知による災害対策用アプリケーション１ａの起動命令が送信されるが、起動命令の送信対象となる災害対策用端末１を識別可能とするため、災害対策用端末１に災害対策用アプリケーション１ａがインストールされた際、当該災害対策用アプリケーション１ａには固有のプッシュ通知トークンが発行され、当該プッシュ通知トークンと災害対策用アプリケーション１ａとの関連付け情報を端末情報記憶部２１に記憶される。即ち、災害対策用端末１に災害対策用アプリケーション１ａがインストールされ、前もって行われる設定のために災害対策用アプリケーション１が起動した際に、災害対策用端末１から管理サーバ２に対して、当該災害対策用アプリケーション１ａに固有のプッシュ通知トークンがリクエストされ、これに応じて管理サーバ２が固有のプッシュ通知トークンを発行し、これを災害対策用端末１に返す。これと同時に管理サーバ２では、当該プッシュ通知トークンと災害対策用アプリケーション１ａとの関連付け情報を登録しておき、この情報に基づいて、災害発生時に災害対策用アプリケーション１ａの起動命令の送信対象となる災害対策用端末１を特定することができる。
【００３５】
位置情報は、端末情報の登録時に、ユーザからの入力に従って登録されたものでもよいし、災害対策用端末１が予め備えるGPS（Global Positioning System）によって随時、取得及び更新されるものであってもよい。
この端末情報記憶部２１を参照することにより、災害発生時に、災害の発生地点との位置関係から、災害対策用アプリケーション１ａに対する起動命令を送信するべき災害対策用端末１を把握することができる。
【００３６】
特定処理部２２は、災害発生時に、端末情報記憶部２１を参照して、災害発生地点から所定の範囲に位置する災害対策用端末１を特定する処理を実行する。この処理では、災害情報提供装置３から提供された災害情報に含まれる災害発生地点に関する情報と、端末情報記憶部２１に記憶されている災害対策用端末１の位置情報とに基づき、災害発生地点から所定の距離にいる災害対策端末１を割り出す。
これにより、災害発生地点と災害対策用端末１の位置情報に基づいて、災害による影響を受ける、又は受けた可能性の高いユーザを特定することができる。
【００３７】
通信処理部２３は、災害対策用端末１及び災害情報提供装置３とデータの送受信を可能とする処理部であって、ＨＴＴＰサーバ／クライアント等によって実現される。
この通信処理部２３により、管理サーバ２は災害対策用端末１との間で、災害対策用アプリケーション１ａの起動命令を送信したり、現在状況情報を受信したりする。また、災害情報提供装置３から災害情報を受信する。なお、起動命令はプッシュ通知によって送信され、災害対策用アプリケーション１ａやメインアプリケーション１ｂが起動していない状況でも、災害対策用端末１は管理サーバ２から起動命令を受信することができる。
【００３８】
災害情報提供装置３は、災害の発生を監視ないしは予測して、災害発生に関する災害情報を提供する装置である。災害情報には、災害発生地点に関する情報や、発生時刻、規模など、災害に関する各種の情報が含まれる。この災害情報提供装置３から、ネットワークＮＷを介して、管理サーバ２に災害情報が提供される。
【００３９】
次に、本実施形態に係る災害対策用端末１による処理の流れについて説明する。
まず、図４を参照して、管理サーバ２から災害対策用端末１に対して、災害対策用アプリケーション１ａの起動命令が送信されるまでの処理について説明する。
管理サーバ２は、災害情報提供装置３から災害情報を受信すると（Ｓ１０１）、特定処理部２２により端末情報記憶部２１を参照して、災害情報に含まれる災害地点に関する情報と端末情報に含まれる災害対策用端末１の位置情報に基づき、災害発生地点から所定の範囲内にいる災害対策用端末１を特定する（Ｓ１０２）。
【００４０】
特定した災害対策用端末１に対しては、通信処理部２３により、災害対策用アプリケーション１ａの起動命令が送信される（Ｓ１０３）。
【００４１】
以上の処理により、災害の影響を受ける可能性の高いユーザの災害対策用端末１のみに災害対策用アプリケーション１ａの起動命令が送信される。その結果、災害の影響を受ける可能性の低いユーザの災害対策用端末１において、災害対策用アプリケーション１ａが起動するという不都合を防ぐことができる。
【００４２】
続いて、図５を参照して、災害対策用端末１において、管理サーバ２から災害対策用アプリケーション１ａの起動命令を受信した後の処理について説明する。
災害対策用端末１は、管理サーバ２から起動命令を受信すると（Ｓ２０１）、ユーザに対して、災害対策用アプリケーション１ａの起動案内を表示する（Ｓ２０２）。
【００４３】
災害対策用アプリケーション１ａの起動案内を表示する画面には、災害に関する情報に加え、災害対策用アプリケーション１ａの起動の許可要求と、起動アイコンによって起動するアプリケーションを災害対策用アプリケーション１ａに設定することの許可要求とが併せて表示され、災害対策用端末１はこれらの許可要求に対するユーザからの許可の入力を受付可能な状態に待機する（Ｓ２０２）。
その結果、これらの許可要求に対して、ユーザからの許可が得られなかった場合には、処理を終了する（Ｓ２０４）。
【００４４】
一方、許可要求に対する許可がユーザによって入力されると、起動処理部１２によって、災害対策用アプリケーション１ａを起動する処理が実行される。この処理ではまず、端末上でメインアプリケーション１ｂが起動中か否かが判別され（Ｓ２０５）、メインアプリケーション１ｂが起動中であった場合には、メインアプリケーション１ｂは休止状態に強制的に移行される（Ｓ２０６）。
【００４５】
そして、メインアプリケーション１ｂが起動していなかったか、休止状態に移行すると、災害対策用アプリケーション１ａが起動される（Ｓ２０７）。
さらに、設定処理部１３は、設定情報記憶部１１を参照し、起動アイコンを押下することによるアプリケーションの起動要求に対し、起動すべきアプリケーションを災害対策用アプリケーション１ａに設定する処理を実行する（Ｓ２０８）。これにより、ユーザが起動アイコンを押下した場合、災害対策用アプリケーション１ａが起動するようになる。
【００４６】
また、生成処理部１４は、ユーザの現在状況に関する現在状況情報を生成する（Ｓ２０９）。
この現在状況情報は例えば、ユーザの現在位置に関する情報のほか、ユーザの周辺の画像や音声等で構成され、災害対策用端末１が予め備えるGPS（Global Positioning System）、カメラ機能、又は集音マイク等によって生成される。
生成された現在状況情報は、通信処理部１６により、管理サーバ２に対して送信される（Ｓ２１０）。
管理サーバ２に集約された現在状況情報は例えば、予めユーザと関係のある者として登録されている者の端末に対して提供するなどして、ユーザの安否確認に利用することができる。
【００４７】
以上の処理において、災害対策用アプリケーション１ａとメインアプリケーション１ｂは通常、災害対策用端末１にインストールされた際には、ユーザによる起動アイコンの押下に基づくアプリケーションの起動要求に対し、メインアプリケーション１ｂが起動するように設定されている。これに対し、災害発生時には、管理サーバ２からの災害対策用アプリケーション１ａの起動命令に基づき、災害対策用アプリケーション１ａが起動する。
その結果、ユーザが平常時、メインアプリケーション１ｂを利用していて災害対策用アプリケーション１ａの存在を忘れていたとしても、災害が発生した際には自動的に災害対策用アプリケーション１ａが起動し、災害対策用アプリケーション１ａを利用して有用な情報を入手したりすることができる。
【００４８】
また、災害発生時に自動的にユーザの現在状況情報が収集されるので、ユーザが意識を失っているような状態にあっても、その安否を把握することができる。
【００４９】
次に、図６を参照して、ユーザが災害対策用端末１を利用した際の端末の動作について説明する。
ユーザにより、災害対策用端末１において、災害対策用アプリケーション１ａ又はメインアプリケーション１ｂを択一的に起動させるための起動アイコンが押下されると（Ｓ３０１）、起動処理部１２により、設定情報記憶部１１が参照される（Ｓ３０２）。
【００５０】
設定情報記憶部１１が参照され、起動アイコンの押下に基づくアプリケーションの起動要求に対し、災害対策用アプリケーション１ａ又はメインアプリケーション１ｂのうち、いずれを起動させる設定となっているかが把握される（Ｓ３０３）。
その結果、起動させるべきアプリケーションが災害対策用アプリケーション１ａに設定されていた場合には、災害対策用アプリケーション１ａが起動させられる（Ｓ３０４）。
一方、起動させるべきアプリケーションがメインアプリケーション１ｂに設定されていた場合には、メインアプリケーション１ｂが起動させられる（Ｓ３０５）。
【００５１】
本実施形態に係る災害対策用端末１の動作は以上のとおりであるが、上述のとおり、災害対策用アプリケーション１ａとメインアプリケーション１ｂは通常、災害対策用端末１にインストールされた際には、ユーザによる起動アイコンの押下に基づくアプリケーションの起動要求に対し、メインアプリケーション１ｂが起動するように設定されている。これに対し、管理サーバ２から災害対策用アプリケーション１ａの起動命令を受信した後は、起動アイコンの押下に基づくアプリケーションの起動要求に対し、災害対策用アプリケーション１ａが起動するように設定される。
【００５２】
その結果、管理サーバ２からの起動命令に応じて災害対策用アプリケーション１ａが起動した後は、ユーザが設定を切り替えるまで、起動アイコン１ｂの押下によって災害対策用アプリケーション１ａが起動するため、災害発生に応じてユーザがわざわざ設定を切り替えるまでもなく、状況に応じて必要なアプリケーションを利用することができる。
また、平常時と災害発生時の状況に応じて、災害対策用アプリケーション１ａ又はメインアプリケーション１ｂが、起動を待機している状態又は休止状態に移行する。即ち、平常時には災害対策用アプリケーション１ａは休止状態にあり、災害対策用端末１の資源を無駄に利用することがなく、災害対策用端末１が他の処理を行う妨げとならない。
【００５３】
なお、以上の本実施形態において、生成処理部１４において生成される現在状況情報は、メールアドレスによって予め指定された宛先に対して、災害対策用端末１から直接、送信されるものとしてもよい。
【００５４】
また、以上の本実施形態では、災害対策用端末１に対して、災害対策用アプリケーション１ａがインストールされている災害対策用端末１を一元的に管理する管理サーバ２から、災害対策用アプリケーション１ａの起動命令を送信するものとしたが、これに限らず、別の実施形態では、災害対策用端末１に対して起動命令を送信する権限をもった個別の端末から、起動命令を送信できるようにしてもよい。
【００５５】
例えば、図７に示されるように、ネットワークＮＷを介して相互に通信可能に構成された複数の災害対策用端末４、５、６において、各端末にインストールされた災害対策用アプリケーション４ａ、５ａ、６ａには、予め関連付けられた他の災害対策用端末４、５、６から送信された災害対策用アプリケーション４ａ、５ａ、６ａの起動命令に基づいて、災害対策用アプリケーション４ａ、５ａ、６ａを起動させる設定がなされている。
【００５６】
災害対策用アプリケーション４ａ、５ａ、６ａがインストールされている災害対策用端末４、５、６同士において、このような関連付けの設定を可能とすることにより、家族同士や職場の社員同士など、任意の端末間で、また、各端末のユーザのタイミングで、他の災害対策用端末４、５、６の災害対策用アプリケーション４ａ、５ａ、６ａを起動させることができる。
その結果、例えば、災害対策用端末４、５、６を所持する家族の安否を把握したい場合に、所定の権限を有する家族の者が、安否を確認した家族の災害対策用端末４、５、６の災害対策用アプリケーション４ａ、５ａ、６ａを起動させた上、現在状況情報を取得して安否を確認することができる。
【００５７】
また、この災害対策用端末４、５、６間で起動命令を送信する場合、起動命令は災害対策用端末４、５、６にインストールされている災害対策用アプリケーション４ａ、５ａ、６ａから発する探索信号によって行うことができる。
また、この実施形態において、管理サーバ２からの起動命令と、災害対策用端末４、５、６からの起動命令について優劣を設定し、管理サーバ２からの起動命令に基づく災害対策用アプリケーション４ａ、５ａ、６ａの起動については上記と同様、ユーザによる許可を経る一方、災害対策用端末４、５、６からの起動命令については、端末における動作の内容如何に関わらず、強制的に災害対策用アプリケーション４ａ、５ａ、６ａを起動させるようにしてもよい。
【００５８】
また、以上の本実施形態では、災害対策用アプリケーション１ａ起動命令を受信した際、災害対策用アプリケーション１ａの起動案内を表示する画面には、災害に関する情報に加え、災害対策用アプリケーション１ａの起動の許可要求と、起動アイコンによって起動するアプリケーションを災害対策用アプリケーション１ａに設定することの許可要求とが併せて表示され、災害対策用端末１はこれらの許可要求に対するユーザからの許可の入力を受付可能な状態に待機するものとしたが、これに限らず、ユーザの許可入力を経ることなく、災害対策用アプリケーション１ａを強制的に起動させることもできる。
【符号の説明】
【００５９】
１        災害対策用端末
１ａ      災害対策用アプリケーション
１ｂ      メインアプリケーション
１１      設定情報記憶部
１２      起動処理部
１３      設定処理部
１４      生成処理部
１５      入出力処理部
１６      通信処理部
２        管理サーバ
２１      端末情報記憶部
２２      特定処理部
２３      通信処理部
３        災害情報提供装置
４        災害対策用端末
４ａ      災害対策用アプリケーション
４ｂ      メインアプリケーション
５        災害対策用端末
５ａ      災害対策用アプリケーション
５ｂ      メインアプリケーション
６        災害対策用端末
６ａ      災害対策用アプリケーション
６ｂ      メインアプリケーション
ＮＷ      ネットワーク
【図１】
2015099530.tif 000003
【図２】
2015099530.tif 000004
【図３】
2015099530.tif 000005
【図４】
2015099530.tif 000006
【図５】
2015099530.tif 000007
【図６】
2015099530.tif 000008
【図７】
2015099530.tif 000009